(57)【要約】【課題】ネットワーク上で効率よくグループワークを進めることができるグループワーク支援サーバなどを提供すること。【解決手段】チームのメンバはミーティング画面２６０でテキストチャットによりディスカッションを行う。ディスカッションエリア２６４に表示される各メンバの発言には、発言内容の分類を表す色情報２６５が付属している。色情報には、例えば、白は司会者のコメント、青は賛成、赤は反対、黄色は中立、緑は自由意見、灰色は事務意見などと、色ごとに分類の意味が定められている。これらの色情報は、各メンバが発言時に選択して発言内容に付属させるものである。【選択図】  図２０
2004310272.tif 000002
【特許請求の範囲】
【請求項１】
文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理するグループワーク支援装置であって、
前記画面データを複数の端末に送信する送信手段と、
前記端末から前記発言入力欄に入力された文字情報と、前記分類情報選択欄から選択された分類情報を受信する受信手段と、
前記受信した文字情報と前記受信した分類情報を対応付けて前記発言表示欄に追記して前記画面データを更新し、前記更新した後の画面データを前記送信手段で送信する更新手段と、
を具備したことを特徴とするグループワーク支援装置。
【請求項２】
前記分類情報は、予め分類ごとに設定された色情報であることを特徴とする請求項１に記載のグループワーク支援装置。
【請求項３】
前記更新手段は、前記色情報で指定される色で着色された印を、前記受信した文字情報に対応させて表示するように前記画面データを更新することを特徴とする請求項２に記載のグループワーク支援装置。
【請求項４】
前記グループワーク画面は、文字情報を表示する掲示欄と、前記掲示欄に表示される文字情報の入力あるいは編集を行う編集情報を入力する編集欄と、を具備し、
前記受信手段は、前記端末から前記編集欄に入力された編集情報を受信し、
前記更新手段は、前記受信した編集情報を用いて前記掲示欄に表示する文字情報を変化させて前記画面データを更新し、前記更新した後の画面データを前記送信手段で送信することを特徴とする請求項１に記載のグループワーク支援装置。
【請求項５】
前記グループワーク画面は、画像情報を入力する画像入力欄と、画像を表示する画像表示欄と、を具備し、
前記受信手段は、前記端末から前記画像入力欄に入力された画像情報を受信し、
前記更新手段は、前記受信した画像情報で規定される画像が前記画像表示欄に表示されるように前記画面データを更新し、前記更新した後の画面データを前記送信手段で送信することを特徴とする請求項１に記載のグループワーク支援装置。
【請求項６】
前記グループワーク画面は、ユーザ情報入力欄と、ユーザ情報を一覧表示するユーザ表示欄と、を具備し、
前記受信手段は、前記端末から前記ユーザ情報入力欄に入力されたユーザ情報を受信し、
前記更新手段は、前記受信したユーザ情報を前記ユーザ表示欄に追加するように前記画面データを更新し、前記更新した後の画面データを前記送信手段で送信することを特徴とする請求項１に記載のグループワーク支援装置。
【請求項７】
前記グループワーク画面は、議題内容に対するユーザの立場を予め用意された複数の立場情報から選択する立場選択欄を具備し、
前記受信手段は、前記端末から前記立場選択欄で入力された立場情報を受信し、
前記更新手段は、前記受信した立場情報をユーザごとに対応付けて前記ユーザ表示欄に表示するように前記画面データを更新し、前記更新した後の画面データを前記送信手段で送信することを特徴とする請求項６に記載のグループワーク支援装置。
【請求項８】
前記立場情報は、予め立場ごとに設定された色情報であることを特徴とする請求項７に記載のグループワーク支援装置。
【請求項９】
前記グループワーク画面は、文字情報からなる項目情報を入力する項目入力手段と、項目情報を２次元平面上に表示する項目情報表示欄と、を具備し、
前記受信手段は、前記端末から前記項目入力手段で入力された項目情報を受信し、
前記更新手段は、前記受信した項目情報を前記項目情報表示欄の所定の２次元位置に追加するように前記画面データを更新し、前記更新した後の画面データを前記送信手段で送信することを特徴とする請求項１に記載のグループワーク支援装置。
【請求項１０】
前記項目情報表示欄に表示されている項目情報を特定する項目特定情報と、前記特定された項目情報の移動先の位置情報と、を前記端末から受信し、
前記更新手段は、前記受信した移動先に前記特定された項目情報を移動するように前記画面データを更新し、前記更新した後の画面データを前記送信手段で送信することを特徴とする請求項９に記載のグループワーク支援装置。
【請求項１１】
前記項目情報表示欄に表示されている項目情報を特定する項目特定情報と、前記特定された項目情報の項目分類情報とを、前記端末から受信し、
前記更新手段は、前記特定された項目情報と前記受信した項目分類情報を対応付けて表示するように前記画面データを更新し、前記更新した後の画面データを前記送信手段で送信することを特徴とする請求項９に記載のグループワーク支援装置。
【請求項１２】
文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理するグループワーク支援方法であって、
送信手段と、受信手段と、更新手段と、を備えたコンピュータにおいて、
前記画面データを前記送信手段で複数の端末に送信する送信ステップと、
前記端末から前記発言入力欄に入力された文字情報と、前記分類情報選択欄から選択された分類情報を前記受信手段で受信する受信ステップと、
前記受信した文字情報と前記受信した分類情報を対応付けて前記発言表示欄に追記して前記画面データを前記更新手段で更新し、前記更新した後の画面データを前記送信手段で送信する更新ステップと、
から構成されたことを特徴とするグループワーク支援方法。
【請求項１３】
前記分類情報は、予め分類ごとに設定された色情報であることを特徴とする請求項１２に記載のグループワーク支援方法。
【請求項１４】
前記更新ステップでは、前記色情報で指定される色で着色された印を、前記受信した文字情報に対応させて表示するように前記画面データを更新することを特徴とする請求項１３に記載のグループワーク支援方法。
【請求項１５】
前記グループワーク画面は、文字情報を表示する掲示欄と、前記掲示欄に表示される文字情報の入力あるいは編集を行う編集情報を入力する編集欄と、を具備し、
前記受信手段で、前記端末から前記編集欄に入力された編集情報を受信するステップと、
前記更新手段で、前記受信した編集情報を用いて前記掲示欄に表示する文字情報を変化させて前記画面データを更新し、前記更新した後の画面データを前記送信手段で送信するステップとから構成されたことを特徴とする請求項１２に記載のグループワーク支援方法。
【請求項１６】
前記グループワーク画面は、画像情報を入力する画像入力欄と、画像を表示する画像表示欄と、を具備し、
前記受信手段で、前記端末から前記画像入力欄に入力された画像情報を受信するステップと、
前記更新手段で、前記受信した画像情報で規定される画像が前記画像表示欄に表示されるように前記画面データを更新し、前記更新した後の画面データを前記送信手段で送信するステップとから構成されたことを特徴とする請求項１２に記載のグループワーク支援方法。
【請求項１７】
前記グループワーク画面は、ユーザ情報入力欄と、ユーザ情報を一覧表示するユーザ表示欄と、を具備し、
前記受信手段で、前記端末から前記ユーザ情報入力欄に入力されたユーザ情報を受信するステップと、
前記更新手段で、前記受信したユーザ情報を前記ユーザ表示欄に追加するように前記画面データを更新し、前記更新した後の画面データを前記送信手段で送信するステップとから構成されたことを特徴とする請求項１２に記載のグループワーク支援方法。
【請求項１８】
前記グループワーク画面は、議題内容に対するユーザの立場を予め用意された複数の立場情報から選択する立場選択欄を具備し、
前記受信手段で、前記端末から前記立場選択欄で入力された立場情報を受信するステップと、
前記更新手段で、前記受信した立場情報をユーザごとに対応付けて前記ユーザ表示欄に表示するように前記画面データを更新し、前記更新した後の画面データを前記送信手段で送信するステップとから構成されたことを特徴とする請求項１７に記載のグループワーク支援方法。
【請求項１９】
前記立場情報は、予め立場ごとに設定された色情報であることを特徴とする請求項１８に記載のグループワーク支援方法。
【請求項２０】
前記グループワーク画面は、文字情報からなる項目情報を入力する項目入力手段と、項目情報を２次元平面上に表示する項目情報表示欄と、を具備し、
前記受信手段で、前記端末から前記項目入力手段で入力された項目情報を受信するステップと、
前記更新手段で、前記受信した項目情報を前記項目情報表示欄の所定の２次元位置に追加するように前記画面データを更新し、前記更新した後の画面データを前記送信手段で送信するステップとから構成されたことを特徴とする請求項１２に記載のグループワーク支援方法。
【請求項２１】
前記受信手段で、前記項目情報表示欄に表示されている項目情報を特定する項目特定情報と、前記特定された項目情報の移動先の位置情報と、を前記端末から受信するステップと、
前記更新手段で、前記受信した移動先に前記特定された項目情報を移動するように前記画面データを更新し、前記更新した後の画面データを前記送信手段で送信するステップとから構成されたことを特徴とする請求項２０に記載のグループワーク支援方法。
【請求項２２】
前記受信手段で、前記項目情報表示欄に表示されている項目情報を特定する項目特定情報と、前記特定された項目情報の項目分類情報とを、前記端末から受信するステップと、
前記更新手段で、前記特定された項目情報と前記受信した項目分類情報を対応付けて表示するように前記画面データを更新し、前記更新した後の画面データを前記送信手段で送信するステップとから構成されたことを特徴とする請求項２０に記載のグループワーク支援方法。
【請求項２３】
文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理する機能をコンピュータで実現するためのグループワーク支援プログラムであって、
前記画面データを複数の端末に送信する送信機能と、
前記端末から前記発言入力欄に入力された文字情報と、前記分類情報選択欄から選択された分類情報を受信する受信機能と、
前記受信した文字情報と前記受信した分類情報を対応付けて前記発言表示欄に追記して前記画面データを更新し、前記更新した後の画面データを前記送信機能で送信する更新機能と、
をコンピュータで実現するためのグループワーク支援プログラム。
【請求項２４】
前記分類情報は、予め分類ごとに設定された色情報であることを特徴とする請求項２３に記載のグループワーク支援プログラム。
【請求項２５】
前記更新機能は、前記色情報で指定される色で着色された印を、前記受信した文字情報に対応させて表示するように前記画面データを更新することを特徴とする請求項２４に記載のグループワーク支援プログラム。
【請求項２６】
前記グループワーク画面は、文字情報を表示する掲示欄と、前記掲示欄に表示される文字情報の入力あるいは編集を行う編集情報を入力する編集欄と、を具備し、
前記受信機能は、前記端末から前記編集欄に入力された編集情報を受信し、
前記更新機能は、前記受信した編集情報を用いて前記掲示欄に表示する文字情報を変化させて前記画面データを更新し、前記更新した後の画面データを前記送信機能で送信することを特徴とする請求項２３に記載のグループワーク支援プログラム。
【請求項２７】
前記グループワーク画面は、画像情報を入力する画像入力欄と、画像を表示する画像表示欄と、を具備し、
前記受信機能は、前記端末から前記画像入力欄に入力された画像情報を受信し、
前記更新機能は、前記受信した画像情報で規定される画像が前記画像表示欄に表示されるように前記画面データを更新し、前記更新した後の画面データを前記送信機能で送信することを特徴とする請求項２３に記載のグループワーク支援プログラム。
【請求項２８】
前記グループワーク画面は、ユーザ情報入力欄と、ユーザ情報を一覧表示するユーザ表示欄と、を具備し、
前記受信機能は、前記端末から前記ユーザ情報入力欄に入力されたユーザ情報を受信し、
前記更新機能は、前記受信したユーザ情報を前記ユーザ表示欄に追加するように前記画面データを更新し、前記更新した後の画面データを前記送信機能で送信することを特徴とする請求項２３に記載のグループワーク支援プログラム。
【請求項２９】
前記グループワーク画面は、議題内容に対するユーザの立場を予め用意された複数の立場情報から選択する立場選択欄を具備し、
前記受信機能は、前記端末から前記立場選択欄で入力された立場情報を受信し、
前記更新機能は、前記受信した立場情報をユーザごとに対応付けて前記ユーザ表示欄に表示するように前記画面データを更新し、前記更新した後の画面データを前記送信機能で送信することを特徴とする請求項２８に記載のグループワーク支援プログラム。
【請求項３０】
前記立場情報は、予め立場ごとに設定された色情報であることを特徴とする請求項２９に記載のグループワーク支援プログラム。
【請求項３１】
前記グループワーク画面は、文字情報からなる項目情報を入力する項目入力機能と、項目情報を２次元平面上に表示する項目情報表示欄と、を具備し、
前記受信機能は、前記端末から前記項目入力機能で入力された項目情報を受信し、
前記更新機能は、前記受信した項目情報を前記項目情報表示欄の所定の２次元位置に追加するように前記画面データを更新し、前記更新した後の画面データを前記送信機能で送信することを特徴とする請求項２３に記載のグループワーク支援プログラム。
【請求項３２】
前記項目情報表示欄に表示されている項目情報を特定する項目特定情報と、前記特定された項目情報の移動先の位置情報と、を前記端末から受信し、
前記更新機能は、前記受信した移動先に前記特定された項目情報を移動するように前記画面データを更新し、前記更新した後の画面データを前記送信機能で送信することを特徴とする請求項３１に記載のグループワーク支援プログラム。
【請求項３３】
前記項目情報表示欄に表示されている項目情報を特定する項目特定情報と、前記特定された項目情報の項目分類情報とを、前記端末から受信し、
前記更新機能は、前記特定された項目情報と前記受信した項目分類情報を対応付けて表示するように前記画面データを更新し、前記更新した後の画面データを前記送信機能で送信することを特徴とする請求項３１に記載のグループワーク支援プログラム。
【請求項３４】
請求項２３から請求項３３までのうちの何れか１の請求項に記載のグループワーク支援プログラムを記憶したコンピュータが読み取り可能な記憶媒体。
【発明の詳細な説明】
【０００１】
【発明の属する技術分野】
本発明はグループワーク支援装置などに関し、特にネットワークを介してコミュニケーションを図ることによりグループワークを進めるものに関する。
【０００２】
【従来の技術】
従来、グループワークは、チームのメンバが集合してミーティングを持ち、各人の役割分担を行ったり、進捗状況を管理したりなどしてきた。
通常これらミーティングでは、議題に関する資料が印刷物で配付されたり、スクリーンに投影されたりなどし、メンバ各人はこれらを用いて議題に対して発言する。
メンバが行った発言は、随時ホワイトボードなどにまとめられ、ミーティングの進捗が図られる。
ミーティングの結果、プロジェクトを遂行するためのスケジュールや、その他の取り決め事項などがまとめられ、以降、メンバの各人は、これらスケジュールなどに従って仕事を進める。
スケジュール管理は、仕事ごとに担当者を決め、ガントチャートなどを用いて仕事の進捗状況を管理する。
そして、スケジュールの進捗状況や状況の変化などに応じてその都度ミーティングを持ち、スケジュールの修正や変更が行われる。
以降、プロジェクトが完了するまでミーティングとスケジュール管理を随時繰り返す。
【０００３】
また、遠隔地にいるメンバとグループワークを行う場合、ミーティングに集合するのが困難な場合もある。このような場合、ネットワークを用いてミーティングを持つことも行われている。このようネットワークを用いた会議としては、従来からテレビ会議が行われている。これは、遠隔地に存在する複数の会議場にテレビカメラとテレビを設置し、それぞれの会議場で他の会議場の模様を中継しながらミーティングを進めるものである。
また、テレビ会議は、多額の費用をかけて設備投資を行わなければならず、一般に普及しているとは言い難い。
そこで、近年発達の著しいインターネットを用いて会議を進めることも試みられている。インターネットを用いてグループワークを進める場合、使用する設備が安価であり、手軽に利用することができる。このような技術としては次の文献の多地点会議システムなどがある。
【０００４】
【特許文献１】特開２００３−０６９９６９
【０００５】
この発明は、ミーティングの参加者のＩＤと参加者が用いている端末のＩＰアドレスを対応させることにより、ミーティングを運営する会議サーバや会議サーバが使用する広帯域回線を不要とするものである。
【０００６】
【発明が解決しようとする課題】
従来、インターネットを用いてグループワークを進めようとする場合、例えば、テキストチャットが存在する。テキストチャットの場合は、参加しているメンバが画面に意見を次々と追加していくことにより意見交換を行うことができる。
しかし、意見交換は文字情報に頼って行われるため、メンバ各人の顔色や声色など、意見表明に付属して各メンバの立場などを補足する情報が落ちてしまうという問題がある。
また、Ｅラーニングのようにネットワークを用いてユーザに実際のコミュニケーションに近いサービスを提供するものもあるが、これらのシステムは端末とサーバが１対１で通信する知識獲得型のものであり、多数のユーザが同時に参加しして相互コミュニケーションを図るようには構成されていない。
【０００７】
そこで、本発明の目的は、ネットワーク上で効率よくグループワークを進めることができるグループワーク支援装置などを提供することである。
【０００８】
【課題を解決するための手段】
本発明は、前記目的を達成するために、文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理するグループワーク支援装置であって、前記画面データを複数の端末に送信する送信手段と、前記端末から前記発言入力欄に入力された文字情報と、前記分類情報選択欄から選択された分類情報を受信する受信手段と、前記受信した文字情報と前記受信した分類情報を対応付けて前記発言表示欄に追記して前記画面データを更新し、前記更新した後の画面データを前記送信手段で送信する更新手段と、を具備したことを特徴とするグループワーク支援装置を提供する（第１の構成）。
ここで、第１の構成の前記分類情報は、予め分類ごとに設定された色情報とすることができる。より詳細には、前記色情報で指定される色で着色された印を、前記受信した文字情報に対応させて表示するよう構成することができる。
また、第１の構成で、前記グループワーク画面は、文字情報を表示する掲示欄と、前記掲示欄に表示される文字情報の入力あるいは編集を行う編集情報を入力する編集欄と、を具備し、前記受信手段は、前記端末から前記編集欄に入力された編集情報を受信し、前記更新手段は、前記受信した編集情報を用いて前記掲示欄に表示する文字情報を変化させて前記画面データを更新し、前記更新した後の画面データを前記送信手段で送信するように構成することもできる。
また、第１の構成で、前記グループワーク画面が、画像情報を入力する画像入力欄と、画像を表示する画像表示欄と、を具備し、前記受信手段は、前記端末から前記画像入力欄に入力された画像情報を受信し、前記更新手段は、前記受信した画像情報で規定される画像が前記画像表示欄に表示されるように前記画面データを更新し、前記更新した後の画面データを前記送信手段で送信するように構成することもできる。
また、第１の構成で、前記グループワーク画面が、ユーザ情報入力欄と、ユーザ情報を一覧表示するユーザ表示欄と、を具備し、前記受信手段は、前記端末から前記ユーザ情報入力欄に入力されたユーザ情報を受信し、前記更新手段は、前記受信したユーザ情報を前記ユーザ表示欄に追加するように前記画面データを更新し、前記更新した後の画面データを前記送信手段で送信するように構成することもできる。
また、このときは、前記グループワーク画面で、議題内容に対するユーザの立場を予め用意された複数の立場情報から選択する立場選択欄を具備し、前記受信手段は、前記端末から前記立場選択欄で入力された立場情報を受信し、前記更新手段は、前記受信した立場情報をユーザごとに対応付けて前記ユーザ表示欄に表示するように前記画面データを更新し、前記更新した後の画面データを前記送信手段で送信するように構成することもできる。更に、詳細には、前記立場情報が、予め立場ごとに設定された色情報とすることができる。
また、第１の構成で、前記グループワーク画面が、文字情報からなる項目情報を入力する項目入力手段と、項目情報を２次元平面上に表示する項目情報表示欄と、を具備し、前記受信手段は、前記端末から前記項目入力手段で入力された項目情報を受信し、前記更新手段は、前記受信した項目情報を前記項目情報表示欄の所定の２次元位置に追加するように前記画面データを更新し、前記更新した後の画面データを前記送信手段で送信するように構成することができる。
このとき、前記項目情報表示欄に表示されている項目情報を特定する項目特定情報と、前記特定された項目情報の移動先の位置情報と、を前記端末から受信し、前記更新手段は、前記受信した移動先に前記特定された項目情報を移動するように前記画面データを更新し、前記更新した後の画面データを前記送信手段で送信するように構成することもできる。
このとき、あるいは、前記項目情報表示欄に表示されている項目情報を特定する項目特定情報と、前記特定された項目情報の項目分類情報とを、前記端末から受信し、前記更新手段は、前記特定された項目情報と前記受信した項目分類情報を対応付けて表示するように前記画面データを更新し、前記更新した後の画面データを前記送信手段で送信するように構成することもできる。
また、本発明は、前記目的を達成するために、文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理するグループワーク支援方法であって、送信手段と、受信手段と、更新手段と、を備えたコンピュータにおいて、前記画面データを前記送信手段で複数の端末に送信する送信ステップと、前記端末から前記発言入力欄に入力された文字情報と、前記分類情報選択欄から選択された分類情報を前記受信手段で受信する受信ステップと、前記受信した文字情報と前記受信した分類情報を対応付けて前記発言表示欄に追記して前記画面データを前記更新手段で更新し、前記更新した後の画面データを前記送信手段で送信する更新ステップと、から構成されたことを特徴とするグループワーク支援方法を提供する（第２の構成）。
ここで、前記分類情報は、予め分類ごとに設定された色情報とすることができる。更に、前記更新ステップでは、前記色情報で指定される色で着色された印を、前記受信した文字情報に対応させて表示することもできる。
また、第２の構成で、前記グループワーク画面が、文字情報を表示する掲示欄と、前記掲示欄に表示される文字情報の入力あるいは編集を行う編集情報を入力する編集欄と、を具備し、前記受信手段で、前記端末から前記編集欄に入力された編集情報を受信するステップと、前記更新手段で、前記受信した編集情報を用いて前記掲示欄に表示する文字情報を変化させて前記画面データを更新し、前記更新した後の画面データを前記送信手段で送信するステップとから構成されるように構成することもできる。
また、第２の構成で、前記グループワーク画面が、画像情報を入力する画像入力欄と、画像を表示する画像表示欄と、を具備し、前記受信手段で、前記端末から前記画像入力欄に入力された画像情報を受信するステップと、前記更新手段で、前記受信した画像情報で規定される画像が前記画像表示欄に表示されるように前記画面データを更新し、前記更新した後の画面データを前記送信手段で送信するステップとから構成されるように構成することもできる。
また、第２の構成で、前記グループワーク画面が、ユーザ情報入力欄と、ユーザ情報を一覧表示するユーザ表示欄と、を具備し、前記受信手段で、前記端末から前記ユーザ情報入力欄に入力されたユーザ情報を受信するステップと、前記更新手段で、前記受信したユーザ情報を前記ユーザ表示欄に追加するように前記画面データを更新し、前記更新した後の画面データを前記送信手段で送信するステップとから構成されるように構成することもできる。
このとき、前記グループワーク画面は、議題内容に対するユーザの立場を予め用意された複数の立場情報から選択する立場選択欄を具備し、前記受信手段で、前記端末から前記立場選択欄で入力された立場情報を受信するステップと、前記更新手段で、前記受信した立場情報をユーザごとに対応付けて前記ユーザ表示欄に表示するように前記画面データを更新し、前記更新した後の画面データを前記送信手段で送信するステップとから構成されるように構成することもできる。更に、前記立場情報は、予め立場ごとに設定された色情報とすることもできる。
また、第２の構成で、前記グループワーク画面が、文字情報からなる項目情報を入力する項目入力手段と、項目情報を２次元平面上に表示する項目情報表示欄と、を具備し、前記受信手段で、前記端末から前記項目入力手段で入力された項目情報を受信するステップと、前記更新手段で、前記受信した項目情報を前記項目情報表示欄の所定の２次元位置に追加するように前記画面データを更新し、前記更新した後の画面データを前記送信手段で送信するステップとから構成されるように構成することもできる。このとき、前記受信手段で、前記項目情報表示欄に表示されている項目情報を特定する項目特定情報と、前記特定された項目情報の移動先の位置情報と、を前記端末から受信するステップと、前記更新手段で、前記受信した移動先に前記特定された項目情報を移動するように前記画面データを更新し、前記更新した後の画面データを前記送信手段で送信するステップとから構成されるように構成することもできる。更に、前記受信手段で、前記項目情報表示欄に表示されている項目情報を特定する項目特定情報と、前記特定された項目情報の項目分類情報とを、前記端末から受信するステップと、前記更新手段で、前記特定された項目情報と前記受信した項目分類情報を対応付けて表示するように前記画面データを更新し、前記更新した後の画面データを前記送信手段で送信するステップとから構成されるように構成することもできる。
また、本発明は、文字情報を入力する発言入力欄と、予め用意された複数の分類情報から前記発言入力欄に入力した文字情報に対応付ける分類情報を選択する分類情報選択欄と、文字情報と分類情報を表示する発言表示欄と、を備えたグループワーク画面を端末に表示するための画面データを管理する機能をコンピュータで実現するためのグループワーク支援プログラムであって、前記画面データを複数の端末に送信する送信機能と、前記端末から前記発言入力欄に入力された文字情報と、前記分類情報選択欄から選択された分類情報を受信する受信機能と、前記受信した文字情報と前記受信した分類情報を対応付けて前記発言表示欄に追記して前記画面データを更新し、前記更新した後の画面データを前記送信機能で送信する更新機能と、をコンピュータで実現するためのグループワーク支援プログラムを提供することができる（第３の構成）。
このとき、前記分類情報は、予め分類ごとに設定された色情報であるように構成することができる。
更に、前記更新機能は、前記色情報で指定される色で着色された印を、前記受信した文字情報に対応させて表示するように前記画面データを更新するように構成することができる。
また、第３の構成は、前記グループワーク画面が、文字情報を表示する掲示欄と、前記掲示欄に表示される文字情報の入力あるいは編集を行う編集情報を入力する編集欄と、を具備し、前記受信機能は、前記端末から前記編集欄に入力された編集情報を受信し、前記更新機能は、前記受信した編集情報を用いて前記掲示欄に表示する文字情報を変化させて前記画面データを更新し、前記更新した後の画面データを前記送信機能で送信するように構成することができる。
また、第３の構成は、前記グループワーク画面が、画像情報を入力する画像入力欄と、画像を表示する画像表示欄と、を具備し、前記受信機能は、前記端末から前記画像入力欄に入力された画像情報を受信し、前記更新機能は、前記受信した画像情報で規定される画像が前記画像表示欄に表示されるように前記画面データを更新し、前記更新した後の画面データを前記送信機能で送信するように構成することができる。
また、第３の構成は、前記グループワーク画面は、ユーザ情報入力欄と、ユーザ情報を一覧表示するユーザ表示欄と、を具備し、前記受信機能は、前記端末から前記ユーザ情報入力欄に入力されたユーザ情報を受信し、前記更新機能は、前記受信したユーザ情報を前記ユーザ表示欄に追加するように前記画面データを更新し、前記更新した後の画面データを前記送信機能で送信するように構成することもできる。
このとき、前記グループワーク画面は、議題内容に対するユーザの立場を予め用意された複数の立場情報から選択する立場選択欄を具備し、前記受信機能は、前記端末から前記立場選択欄で入力された立場情報を受信し、前記更新機能は、前記受信した立場情報をユーザごとに対応付けて前記ユーザ表示欄に表示するように前記画面データを更新し、前記更新した後の画面データを前記送信機能で送信するように構成することもできる。
更に、前記立場情報は、予め立場ごとに設定された色情報とすることができる。
また、第３の構成は、前記グループワーク画面は、文字情報からなる項目情報を入力する項目入力機能と、項目情報を２次元平面上に表示する項目情報表示欄と、を具備し、前記受信機能は、前記端末から前記項目入力機能で入力された項目情報を受信し、前記更新機能は、前記受信した項目情報を前記項目情報表示欄の所定の２次元位置に追加するように前記画面データを更新し、前記更新した後の画面データを前記送信機能で送信するように構成することができる。
このとき、前記項目情報表示欄に表示されている項目情報を特定する項目特定情報と、前記特定された項目情報の移動先の位置情報と、を前記端末から受信し、前記更新機能は、前記受信した移動先に前記特定された項目情報を移動するように前記画面データを更新し、前記更新した後の画面データを前記送信機能で送信するように構成することもできる。
また、本発明は、前記第３の構成に係る一連のグループワーク支援プログラムを記憶したコンピュータが読み取り可能な記憶媒体を提供する。
【０００９】
【発明の実施の形態】
以下、本発明の好適な実施の形態について、図を参照して詳細に説明する。
（１）実施形態の概要
プロジェクトの推進は、大きく分けてスケジュール管理と、ミーティングを行うことにより行われる。
スケジュール管理に関しては、図６に示したように、仕事内容欄８０、人員欄７９、スケジュール欄７８を表示することにより、２次元平面上でプロジェクトを進めるための３要素である仕事内容、人員、スケジュールを表すことができる。また、仕事内容の相互関係は、仕事ツリー欄８１でツリー状に表されており、折り畳みボタン８５をクリックすることにより、表示したり非表示にしたりすることができる。また、仕事ツリー欄８１での操作に対応して、仕事内容欄８０、スケジュール欄７８も表示されたり非表示になったりする。
また、人員欄７９は、図７に示したように横方向に広げてチームのメンバ全員の仕事の分担を表示することができる。
このようにして、本実施の形態では、スケジュール管理の３要素を１つの画面で表示することができ、更に、人員欄７９に一部のメンバを表示するモードと全体を表示するモードを備え、スケジュールを見やすくした。
【００１０】
ミーティングに関しては、図２０に示したミーティング画面２６０でテキストチャットによりディスカッションを行う。ディスカッションエリア２６４に表示される各メンバの発言には、発言内容の分類を表す色情報２６５が付属している。色情報２６５には、例えば、白は司会者のコメント、青は賛成、赤は反対、黄色は中立、緑は自由意見、灰色は事務意見などと、色ごとに分類の意味が定められている。これらの色情報は、各メンバが発言時に選択して発言内容に付属させるものである。
このこれら色情報２６５により、各メンバがどのような立場で発言しているかを直感的に知ることができる。
更に、ミーティングに関しては、通常の会議室のホワイトボードに対応するホワイトボード画面２４０（図１９）、プロジェクタに対応するプロジェクタ画面３００（図２６）、各メンバを一覧表示したメンバリスト画面２２０（図１７）を表示することにより、より実際の集合ミーティングに近い環境を作り出している。
【００１１】
（２）実施形態の詳細
図１は、本実施の形態のグループワーク支援システム１のネットワーク構成を示した図である。
グループワーク支援システム１では、インターネット２を介してサーバ３に端末５、５、５…が接続可能に配設されている。
サーバ３は、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのプロトコルを用いて端末５、５、５…（以下、端末５）と通信を行うことができる。
本実施の形態では、サーバ３と端末５はインターネット２で接続するものとするが、これに限定せず、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、その他のネットワークを用いてもよい。
【００１２】
一般に複数のメンバ（構成員）が集まって仕事を行う所謂グループワークを行う場合、会議やスケジュール管理を行いながらプロジェクトを遂行する。
サーバ３は、これら会議やスケジュール管理を行う環境をインターネット２上で実現し、グループワークを行うメンバにバーチャルワークプレイスを提供するグループワーク支援サーバである。
サーバ３は、Ｗｅｂサーバとしての機能を有しており、バーチャルワークプレイスを実現する各種の画面データを端末５に送信する。
後述するように、サーバ３は、プロジェクトのスケジュールを管理したり、あるいは、グループ内のミーティングを行ったりするためのグループワーク支援装置を構成している。
【００１３】
端末５は、グループワークに参加するメンバがサーバ３にアクセスする端末であって、例えば、インターネット接続機能を有し、ブラウザを備えたパーソナルコンピュータにより構成されている。
端末５は、サーバ３が送信してきた画面データを用いて各種画面を表示したり、あるいは、ユーザがこれら画面に対して入力した情報をサーバ３に送信することができ、メンバは端末５のこれらの機能を用いてサーバ３が提供するサービスを利用することができる。
【００１４】
図２は、サーバ３のハードウェア的な構成の一例を示したブロック図である。
図２に示したように、サーバ３は、ＣＰＵ（Ｃｅｎｔｒａｌ  Ｐｒｏｃｅｓｓｉｎｇ  Ｕｎｉｔ）６、ＲＯＭ（Ｒｅａｄ  Ｏｎｌｙ  Ｍｅｍｏｒｙ）７、ＲＡＭ（Ｒａｎｄｏｍ  Ａｃｃｅｓｓ  Ｍｅｍｏｒｙ）８、通信制御部９、記憶部１０などがバスライン１３で接続されて構成されている。
ＣＰＵ６は、各種のプログラムに従って動作して各種の情報処理や演算処理、また、サーバ３の各部の制御などを行う中央処理装置である。
ＲＯＭ７は、読み込み出し専用の記憶装置であり、サーバ３を動作させるための基本的なプログラムやパラメータなどが記憶されている。
ＲＡＭ８は、ＣＰＵ６が動作する場合のワーキングエリアを提供する記憶装置である。
【００１５】
通信制御部９は、インターネット２に接続しており、サーバ３が端末５と行う通信を制御する機能部である
記憶部１０は、例えば、ハードディスクなどによって構成された大容量の記憶装置である。
記憶部１０には、各種プログラムを格納したプログラム部１１と、各種データを格納したデータベース部１２が形成されている。
プログラム部１１には、例えば、サーバ３を動作させるための基本的なプログラムであるＯＳ（Ｏｐｅｒａｔｉｎｇ  Ｓｙｓｔｅｍ）や、通信制御部９を制御する通信制御プログラム、グループワーク支援サービスを提供するためのグループワーク支援プログラム、その他のプログラムが記憶されている。
【００１６】
データベース部１２には、例えば、グループワーク支援サービスを提供するための各種データベースが記憶されている。
グループワーク支援プログラムをＣＰＵ６で実行することにより、ＣＰＵ６は、各種画面データを生成して端末５に送信することができ、また、端末５が送信してきた情報をデータベースに格納することができる。
【００１７】
図３は、端末５のハードウェア的な構成の一例を示したブロック図である。
図３に示したように端末５は、ＣＰＵ２１、ＲＯＭ２２、ＲＡＭ２３、ディスプレイ２４、マウス２５、キーボード２６、通信制御部２７、記憶媒体駆動部２８、記憶部２９などがバスライン３０で接続されて構成されている。
ＣＰＵ２１は、各種のプログラムに従って動作して各種の情報処理や演算処理、また、端末５の各部の制御などを行う中央処理装置である。
ＲＯＭ２２は、読み込み出し専用の記憶装置であり、端末５を動作させるための基本的なプログラムやパラメータなどが記憶されている。
ＲＡＭ２３は、ＣＰＵ２１が動作する場合のワーキングエリアを提供する記憶装置である。
【００１８】
ディスプレイ２４は、例えば、ＣＲＴ（Ｃａｔｈｏｄｅ−ｒａｙ  Ｔｕｂｅ）ディスプレイ、液晶ディスプレイ、あるいはプラズマディスプレイなどのディスプレイ装置で構成された表示装置である。
ディスプレイ２４は、文字や画像などを表示することができ、本実施の形態では、サーバ３が送信してきた画面データで定義された画面を表示したり、あるいはユーザが入力した文字情報や画像を表示することができる。
マウス２５は、ポインティングデバイスであり、机上などでマウス２５を移動させると、この移動に伴いディスプレイ２４に表示された指示記号も移動するようになっている。また、マウス２５は、左ボタンや右ボタンなどのボタンを備えており、ディスプレイ２４上に表示されたアイコン、ラジオボタン、チェックボックス、その他のオブジェクトに指示記号を合わせてマウス２５のボタンを操作することにより、これらオブジェクトに対応した機能を選択することができる。
本実施の形態では、マウス２５をサーバ３が提供する各種画面を操作するのに用いる。
【００１９】
キーボード２６は、文字、数字、記号などを入力する文字キーや、スペースやバックスペースなどの各種機能を指定する機能キーを備えている。
これら各種キーを押し下げることによりキーボード２６から文字情報、数値情報の入力や機能の指定を行うことができる。
本実施の形態では、キーボード２６を用いて、ミーティングでの発言を入力したり、スケジュールを入力したりなどする。
通信制御部２７は、端末５をインターネット２に接続し、インターネット２による通信を制御する機能部である
端末５は、通信制御部２７を介してサーバ３と通信し、画面データの受信、及びユーザが入力したデータの送信を行うことができる。
【００２０】
記憶媒体駆動部２８は、記憶媒体が着脱可能に構成されており、装着された記憶媒体に対してデータの読み書きを行う機能部である。装着する記憶媒体としては、例えば、フレキシブルディスク、光デスク、光磁気ディスク、半導体メモリ、磁気テープなどがある。また、記憶媒体によっては読み込みのみ可能なものもある。
記憶部２９は、例えば、ハードディスクなどによって構成された大容量の記憶装置である。
記憶部２９には、例えば、端末５を動作させるための基本的なプログラムであるＯＳや、通信制御部２７を制御する通信制御プログラム、インターネット２上のサーバ装置が提供するサービスを利用するためのブラウザプログラム、仮名漢字変換プログラムといった各種プログラムやデータなどが記憶されている。
【００２１】
これらのプログラムのうち、ブラウザプログラムは、ＣＰＵ２１にブラウザ機能を発揮させるプログラムである。ＣＰＵ２１は、このブラウザ機能によりディスプレイ２４にブラウザ画面を表示する。
ブラウザ画面は、接続先のＷｅｂサイトを特定するＵＲＬ（Ｕｎｉｆｏｒｍ  Ｒｅｓｏｕｒｃｅ  Ｌｏｃａｔｏｒｓ）を入力するＵＲＬ欄を備えており、サーバ３が送信してきた画面データで定義される画面を表示する。
ＣＰＵ２１は、ブラウザ機能を用いてＵＲＬ欄に入力されたＵＲＬで特定されるＷｅｂサイトに端末５を接続したり、サーバ３から受信した画面データを解釈して画面をブラウザ画面に表示したりすることができる。
【００２２】
また、ＣＰＵ２１は、ブラウザ機能を用いてユーザがブラウザ画面から入力した情報をサーバ３に送信することもできる。例えば、ブラウザ画面に表示されたアイコン、ラジオボタン、チェックボックス、ボタンなどのオブジェクトをマウス操作でクリックすることにより、これらのオブジェクトが選択された旨の信号をサーバ３に送信したり、あるいは、ブラウザ画面に表示されたテキスト入力欄から文字情報を入力してサーバ３に送信したりすることができる。
また、記憶部２９などに記憶されている画像ファイル、テキストファイル、表計算などのアプリケーションで利用するファイルなどの各種ファイルをブラウザ画面上で指定してサーバ３に送信することもできる。
このように、ブラウザプログラムをＣＰＵ２１に実行させることにより、ユーザは、サーバ３と双方向に情報の送受信を行うことができる。
本実施の形態では、ＣＰＵ２１は、ブラウザ機能を用いてサーバ３が提供する各種のグループワーク支援サービスをユーザに提供する。
【００２３】
図３には図示しないが、端末５は更にプリンタ、入出力インターフェース、音声入出力部などを備えている。
プリンタは、紙などの印刷媒体に文字や画像を印刷する装置であって、サーバ３が送信してきたスケジュールやミーティング内容の文字データなどを印刷することができる。
入出力インターフェースは、スキャナや記憶装置などの各種機器を接続して端末５の機能を拡張することができる。
音声入出力部は、スピーカやマイクロフォンなどの装置を備えており、音声データを再生したり、あるいは音声を音声データに変換したりする。音声入出力部を用いることにより、サーバ３が送信してきた音声データを再生したり、あるいは、音声を音声データに変換してサーバ３に送信することができる。
【００２４】
次に、図４〜図２５を用いながら、サーバ３が端末５で提供する画面について説明する。これらの画面は何れもサーバ３が送信してきた画面データを端末５のＣＰＵ２１がブラウザ機能によってブラウザ画面に表示したものである。
【００２５】
図４は、ログイン画面３２の一例を示した図である。ログイン画面３２は端末５からサーバ３にアクセスした場合に表示される。
ログイン画面はユーザＩＤ入力欄３３、パスワード入力欄３４及び送信ボタン３５を備えている。
ユーザは、ユーザＩＤ入力欄３３とパスワード入力欄３４にそれぞれ自分のユーザＩＤとパスワードを入力し、送信ボタン３５をクリックすると、入力したユーザＩＤとパスワードが端末５からサーバ３に送信されるようになっている。
【００２６】
これらユーザＩＤとパスワードがサーバ３により認証されると、ユーザはサーバ３が運営するグループワーク支援サイトにログインすることができ、各種のグループワーク支援サービスを利用することができる。
なお、サーバ３は複数のチームの支援業務を行っているが、サーバ３は、ユーザＩＤからユーザを特定し、これによって支援の対象となるチームを特定する。また、ユーザが複数のチームに属している場合は、選択画面が端末５で表示され、ユーザが選択するようになっている。
【００２７】
図５は、グループワーク支援を行う各画面を立ち上げるランチャ４０を示した図であり、サーバ３でユーザが認証されると端末５で表示される。
ランチャ４０は、プロジェクト管理４１、パーソナルアシスタント４２、…などの複数の項目から構成されており、ユーザが所望の項目をクリックすると、対応する機能がサーバ３で起動され、端末５でその機能を利用することができるようになる。
これらの項目のうち、プロジェクト管理４１は、予定に沿ってプロジェクトの進捗を管理するツールであり、パーソナルアシスタント４２〜ツール５０は、グループ内のディスカッションを行いミーティングを促進するためのツール群である。
【００２８】
プロジェクト管理４１は、メンバが各人が個別にアクセスして利用することができるが、パーソナルアシスタント４２〜ツール５０の各ツールは、メンバが時間を合わせてサーバ３に接続して利用する。
このようにサーバ３は、パーソナルアシスタント４２〜ツール５０の各ツールでメンバ間のコミュニケーションを図りながら、プロジェクト管理４１でプロジェクトの進行を管理する。
【００２９】
それぞれの項目により起動されるツールの概要は次の通りである。
プロジェクト管理４１：ガントチャートなどを用いてプロジェクトを構成する各仕事内容（タスク）ごとに進捗状況を管理する（図６）。
パーソナルアシスタント４２：メンバごとに所謂ＴＯ−ＤＯリストを提供する。仕事内容を項目ごとに管理すると共に終了した仕事の消し込みが行える（図１５）。
メンバリスト４３：グループワークに参加しているメンバを一覧表示して紹介する（図１７）。
【００３０】
ホワイトボード４４：ミーティングを進行するために文字情報を書き込む一種の電子掲示板（ＢＢＳ）である（図１９）。書き込み後編集可能であり、メンバの誰かが書き込みなどを行うと、他のメンバの端末５の画面も更新される。
ミーティング４５：メンバがディスカッションを行う一種のテキストチャットである（図２０）。
ファイル管理４６：ファイルを共有することによりナレッジマネジメントを行うことができる（図２１）。
【００３１】
グループメール４７：チーム内のメンバに電子メールを出すことができる（図２２）。
投票４８：グループ内で評決を取る場合に用いる。
プロジェクタ４９：グラフなどの画像データを表示するのに用いる（図２３）。
ツール５０：その他のツールであり、例えば、項目を付箋に書き付け、２次元画面に貼り付けるものがある（図２４）。
【００３２】
以下に、ランチャ４０の各項目を選択した場合に表示される画面について説明する。
図６は、ランチャ４０でプロジェクト管理４１を選択した場合に端末５で表示されるプロジェクト管理画面５５の一例を示した図である。プロジェクト管理画面５５に表示するデータは、データベース部１２（図２）のプロジェクト管理データベースに記憶されている。プロジェクト管理画面５５は、例えば、プロジェクトのスケジュールを管理するスケジュール画面を構成している。なおプロジェクト管理画面５５は、サーバ３が送信してきたスケジュール画面データを用いて表示されたものである。
【００３３】
プロジェクト管理画面５５は、タイトル欄５６、お知らせ欄５８、リンクス欄６５、カレンダ欄７０、ガントチャート欄７５などから構成されている。
タイトル欄５６は、グループワークの対象となっているプロジェクトの名称を表示する欄である。
お知らせ欄５８は、各メンバから寄せられたお知らせを新しいものから古いものへ時系列に表示する。各お知らせには、アップロードされた日付と投稿したメンバの名前が付記されている。お知らせ欄５８の右側にはスクロールバー６１があり、これを用いてお知らせをスクロールすることができる。
また、お知らせ欄５８は、書き込みボタン６０が備えられており、このボタンをクリックするとお知らせを投稿できるようになっている。
【００３４】
リンクス欄６５は、各種Ｗｅｂサイトへのリンクを張る欄である。各メンバは書き込みボタン６７をクリックしてリンク情報（タイトルとＵＲＬ）をリンクス欄６５にアップロードすることができる。リンクス欄６５は、スクロールバー６８を備えており、これを用いてリンク先をスクロールすることができる。
リンクス欄６５のリンク情報をクリックすると、端末５は当該リンク情報で指定されたＷｅｂサイトに接続する。
リンクス欄６５にＷｅｂサイトのリンク情報をアップロードすることにより使用頻度の高いリンクをメンバ間で共有することができる。
【００３５】
カレンダ欄７０は、カレンダを表示する欄である。デフォルトでは現在の月のカレンダが表示されるが、送りボタン７１で先の月のカレンダを表示したり、戻りボタン７２で前の月のカレンダを表示したりすることもできる。
また、カレンダでは、現在の日がハイライト７３により識別できるようになっている。
【００３６】
ガントチャート欄７５は、説明欄８２、スケジュールフロー欄７６、仕事ツリー欄８１、仕事内容欄８０、人員欄７９、スケジュール欄７８などから構成されている。
これらのうち、仕事ツリー欄８１と仕事内容欄８０は、仕事を表示する仕事表示欄を構成しており、人員欄７９は、人員表示欄を構成しており、更に、スケジュール欄７８は、仕事の開始と終了を規定して期間を特定する期間表示欄を構成している。
これらの各欄に表示される情報は、それぞれ、データベース部１２に格納されていた仕事データ、人員データ、期間データを用いて表示されたものである。このように、データベース部１２は、これらのデータの他、スケジュール管理に必要な各種のデータを記憶しており、スケジュール管理データ記憶手段を構成している。
【００３７】
説明欄８２は、プロジェクトの説明やその他の文字情報を表示する欄である。
スケジュールフロー欄７６は、下段のスケジュール欄７８の日付に対応させて、スケジュールフローを表示する欄である。スケジュールフローは、タイトルと期間を表すスケジュールバーから構成されている。図の例ではタイトル「役割配分」、「調査」、「制作」が表示されており、タイトルの下に期間を表すスケジュールバーが表示されている。スケジュールバーは、色分けして表示することができ、メンバは直感的にスケジュールバーの意味を把握することができる。
【００３８】
仕事ツリー欄８１は、プロジェクトを構成する仕事を仕事間の階層的な関連に基づいてツリー状（仕事ツリー）に表示する。この仕事ツリーには、折り畳みボタン８５が設けられており、このボタンをクリックすることにより、上位の仕事のみ表示したり、下位の細分化した仕事まで表示したりすることができる。
図の例では、最上位に「新商品マーケティング」があり、その下位に「ユーザビリティ検証」、「販売企画検証」、「Ｗｅｂ調査」があり、更に「販売企画検証」の下位に「調査」がある。
【００３９】
仕事内容欄８０には、仕事ツリー欄８１で表示されている仕事に対応する仕事内容が表示される。本実施の形態では、仕事ツリーの最下位にある仕事に対してその内容が表示されるように構成した。
図の例では、仕事「調査」に対して「社内調査」、「アンケート」、「Ｗｅｂ制作」といった仕事内容が存在する。
人員欄７９には、仕事内容欄８０の対応する仕事内容を担当するメンバの名前が表示される。メンバが複数いる場合は、代表者の名前が表示される。
【００４０】
これは、データベース部１２で記憶している仕事データには、階層関係が階層情報により設定してあり、サーバ３がこの階層関係を用いて仕事をツリー構造に表示するための画面データを生成することにより実現される。
端末５で折り畳みボタン８５をクリックすることにより、端末５からサーバ３に表示する階層を特定する階層特定情報が送られ、サーバ３がこれに対応するツリー構造を表示するための画面データを作成する。また、サーバ３は、人員欄７９とスケジュール欄７８もツリー構造に対応したものとする。
このように、ＣＰＵ６でプロジェクト支援プロジェクトを実行することにより、階層特定情報取得手段を構成することができる。
【００４１】
スケジュール欄７８は、仕事内容欄８０の対応する仕事を行う期間を表示する欄である。期間は、例えば、開始予定日と終了予定日を結んだ矢線８８とタイトル８９により表示される。
矢線８８は、線種、色などを設定することができ、直感的に期間を表示することができる。
また、スケジュール欄７８には、重要な日などにマーク９３を入力することもできる。入力時にマークの形状や色を選択することができる。そして、マークに付属してタイトルを入力することができる。
スケジュール欄７８の右側には、スクロールバー９０が設けられており、これをスクロールすることにより、仕事ツリー欄８１、仕事内容欄８０、人員欄７９、スケジュール欄７８をスクロールすることができる。
【００４２】
なお、折り畳みボタン８５で仕事ツリーを折り畳んだり開いたりすると、これに伴い、仕事内容欄８０、人員欄７９、スケジュール欄７８の対応する欄も表示されたり消えたりするようになっている。即ち、仕事ツリーが折り畳まれた場合、これに対応する仕事内容欄８０、人員欄７９、スケジュール欄７８も蛇腹的に収縮し、非表示となった仕事に対する人員やスケジュールも非表示になる。
また、人員欄７９やスケジュール欄７８の記載内容は、仕事ツリーの最下位の仕事に対して表示され、上位の仕事に対しては空白となるようにした。
また、上位の仕事に関しては、その下位にある仕事のスケジュールが重ね合わせて表示されるように構成することもできる。
【００４３】
図７は、ガントチャート欄７５の表示形態の変化例を示した図である。図７（ａ）に示した人員欄７９をクリックすると、図７（ｂ）に示したように人員欄７９が横に広がり、全メンバが表示される。
そして、仕事内容（縦軸）とメンバ（横軸）からなるマトリックスに印を表示することにより、仕事を担当しているメンバが一覧できるようになっている。
図では、代表者は二重丸印で表してあり、その他のメンバは一重丸印で表してある。
また、人員欄７９の横方向に表示されたメンバの名前をクリックすることにより、そのメンバに関して仕事内容を人員の名前でソートすることもできる。
図７（ｃ）は、メンバ「田中」で仕事内容をソートした場合を示している。メンバ「田中」が担当している仕事内容が、開始日が早い順にソートされ、上から「仕事Ｄ」、「仕事Ｂ」に順に表示されている。
【００４４】
このように、人員欄７９の表示が形態（モード）が切り替わるのは、人員欄７９をクリックするごとに、表示形態を特定するための信号（何れで表示するかを選択する選択情報を構成する）が交互に端末５からサーバ３に送信され、サーバ３がこれに対応した画面データをサーバ３に送信することにより実現されるものである。このように、サーバ３は、ＣＰＵ６でグループワーク支援プログラムを実行することにより、選択情報を受信する選択情報取得手段と、前記取得した選択情報に応じた画面データを出力するスケジュール画面データ出力手段を構成することができる。
【００４５】
プロジェクトの進捗を管理する場合、仕事、人的資源、時間の３つの管理要素があるが、ガントチャート欄７５は、仕事ツリー欄８１と仕事内容欄８０により仕事に関する情報を表示し、人員欄７９により人的資源に関する情報を表示し、スケジュール欄７８により時間に関する情報を表示している。
このように本実施の形態では、この３つの管理要素を２次元平面状で並列表記することができる。
【００４６】
図８は、入力画面９５の一例を示した図である。入力画面９５は、お知らせ欄５８の書き込みボタン６０（図６）をクリックすると画面データがサーバ３から送信されてきて端末５でポップアップ表示される。入力画面９５は、お知らせ入力欄９６が表示されており、メンバはこの欄にお知らせ事項を入力する。入力した後書き込みボタン９７をクリックするとお知らせ入力欄９６に入力した情報がサーバ３にアップロードされ、お知らせ欄５８が更新される。
入力画面９５の右上には画面制御ボタン９８が表示されており、このボタンをクリックすることにより入力画面９５を縮小したり消去することができる。なお本実施の形態では「−」ボタンをクリックすると縮小し、「×」ボタンをクリックすると消去される。また、「□」ボタンが表示されている場合は、これをクリックすると入力画面９５が拡大される。以降、他の画面も画面制御ボタンを備えている場合は、同様に拡大、縮小、消去を行うことができる。
また、画面制御ボタンを供えた画面（ウインドウ）は、画面の縁をドラッグすることにより、大きさを変化させることもできる。
【００４７】
図９は、リンクス入力画面１００の一例を示した図である。リンクス入力画面１００は、リンクス欄６５の書き込みボタン６７（図６）をクリックすると画面データがサーバ３から送信されてきて端末５でポップアップ表示される。
リンクス入力画面１００は、上半分に新規登録エリア１０１が設けられており、下半分に削除エリア１０２が設けられている。
新規登録エリア１０１は、リンク情報をサーバ３にアップロードする場合に利用し、削除エリア１０２は、アップロードされているリンク情報を消去するのに使用する。
【００４８】
新規登録エリア１０１は、タイトル欄１０３とＵＲＬ欄１０４を備えており、タイトル欄１０３には、リンクス欄６５に表示するタイトルを入力し、ＵＲＬ表示欄１０４には、リンク先のサイトのＵＲＬを入力する。そして、これらの情報を入力した後書き込みボタン１０８をクリックすると、タイトルとＵＲＬがサーバ３にアップロードされ、リンクス欄６５が更新される。
削除エリア１０２には、既にアップロードされているリンク情報と、これらの情報に対応したチェックボックスが表示される。これらのうち、消去するものがある場合は、そのリンク情報のチェックボックスをクリックしてチェックし、書き込みボタン１０８をクリックすると、このリンク情報を消去する旨の信号が端末５からサーバ３に送信され、サーバ３でこのリンク情報が消去される。
リンクス入力画面１００は、画面制御ボタン１０９を備えており、クリックすることにより大きさを調節することができる。
【００４９】
図１０は、スケジュールフロー入力画面１１５の一例を示した図である。スケジュールフロー入力画面１１５は、スケジュールフロー欄７６（図６）を例えばダブルクリックすると、画面データがサーバ３から送信されてきて端末５でポップアップ表示される。
開始日入力欄１１７は、スケジュールバーの開始日を入力する欄である。キーボード２６から入力することもできるし、右隣に表示されているカレンダ１２６上の日にちをクリックして入力することもできる。また、開始日入力欄１１７の右側には送りボタンと戻しボタンが設けられており、これらのボタンをクリックして入力されている日にちを進めたりあるいは戻したりすることができる。
終了日入力欄１１８は、スケジュールバーの終了日を入力する欄である。開始日入力欄１１７と同様にして終了日を入力することができる。
タイトル入力欄１１９は、スケジュールバーの上に表示されるタイトルを入力する欄である。
【００５０】
情報入力欄１２０は、スケジュールバーに付随させる情報がある場合にこれを入力する欄である。スケジュールフロー欄７６でタイトルバーをクリックするとポップアップ表示することができる。
色選択欄１３１は、スケジュールバーの色を選択する欄である。色選択欄１３１は、表示可能な色を一覧した色見本エリア１２３を備えており、これらの色の何れかをクリックすることにより色を選択することができる。選択した色は見本バー１２４に表示され、着色されたスケジュールバーを確認することができる。
書き込みボタン１２５は、上の各欄で入力した事項をサーバ３に送信するためのボタンである。書き込みボタン１２５がクリックされると、入力した情報がサーバ３に送信され、スケジュールフロー欄７６が更新される。
また、スケジュールフロー入力画面１１５は画面制御ボタン１２８を備えており、画面の大きさを調節することができる。
【００５１】
図１１は、ガントチャート入力画面１３５の一例を示した図である。ガントチャート入力画面１３５は、仕事ツリー欄８１で何れかの仕事をダブルクリックするかスケジュール欄７８の矢線８８（図６）をダブルクリックするか、あるいは他の所定の操作により端末５にポップアップ表示される。
ガントチャート入力画面１３５は、ガントチャート欄７５でガントチャートを設定、及び変更するための画面である。
仕事入力欄１３８は、仕事内容欄８０に表示する仕事内容を入力する欄である。この欄の右側にはドロップダウンメニューボタンが設けられており、このボタンをクリックすると既に入力した仕事内容が一覧表示される。入力する仕事内容は、この一覧から選択してもよいし、新たに入力してもよい。
【００５２】
人員入力欄１３９は、人員欄７９に登録する人員を設定する欄である。この欄の右側にはドロップダウンメニューボタンが設けられており、このボタンをクリックするとメンバの一覧表示される。
この一覧からメンバを単数又は複数選択し、人員を設定することができる。また、選択した人員のうち、責任者といったような属性を付与することもできる。
開始日入力欄１４０は、仕事の開始日を設定する欄であり、入力要領はスケジュールフロー入力画面１１５の開始日入力欄１１７と同様である。
終了日入力欄１４１は、仕事の終了日を設定する欄であり、入力要領は終了日入力欄１１８と同様である。
タイトル入力欄１４２は、タイトル８９（図６）として表示する文字情報を入力する欄である。
【００５３】
情報入力欄１４３は、この仕事に付随する情報がある場合にこれを入力する欄である。この欄で入力した情報は、例えば、ガントチャート欄７５で矢線８８をクリックすると画面データがサーバ３から送信されてきてポップアップ表示することができる。
矢印設定欄１４４は、ガントチャート欄７５に表示する矢線の属性を設定する欄である。矢印設定欄１４４は、色見本エリア１４６を備えており、例えば、５色の色が表示されている。これらのうちの何れかをクリックするとその色を選択することができる。
また、矢印設定欄１４４は、線種見本エリア１４７を備えており、実線や点線など、線種見本に対応して設けられたラジオボタンを選択することにより線種を設定することができる。
【００５４】
書き込みボタン１５０をクリックすると、設定内容が端末５からサーバ３に送信され、ガントチャート欄７５が更新される。
プロジェクトの進捗状況に応じて、開始日入力欄１４０や終了日入力欄１４１を再入力して書き込みボタン１５０をクリックすると、矢線８８も再入力したものに更新される。
また、ガントチャート入力画面１３５は、カレンダ１５１と画面制御ボタン１５２を備えている。
また、図示しないが、新規に仕事内容をガントチャート欄７５に追加する場合は、仕事ツリー欄８１のどの位置に置くかを設定する手段が設けられている。これは、例えば、追加する仕事内容が従属する上位の仕事を特定することにより行うことができる。
【００５５】
即ち、ガントチャート入力画面１３５で必要事項を入力して書き込みボタン１５０をクリックすると、端末５からサーバ３にガントチャート欄７５を編集する編集情報が送信され、これに従って、サーバ３では、データベース部１２に記憶しているスケジュール管理データを更新する。
このようにサーバ３は、ＣＰＵ６でプロジェクト管理プロジェクトを実行することにより、編集情報取得手段と、スケジュール管理データ更新手段を構成することができる。スケジュール管理データが更新された後は、更新後のデータに従って画面データが作成される。
【００５６】
図１２は、マーク入力画面１５５の一例を示した図である。マーク入力画面１５５は、スケジュール欄７８にマークを入力するための画面である。
日付入力欄１５７は、マークを入力する日付を入力する欄である。入力要領はスケジュールフロー入力画面１１５の開始日入力欄１１７と同様である。
仕事入力欄１５８は、マークを入力する対象となっている仕事内容を選択する欄である。仕事内容は仕事入力欄１３８（図１１）と同様にしてドロップダウンメニューから選択することができる。
タイトル入力欄１５９は、マークと共に表示するタイトルを入力する欄である。
【００５７】
情報入力欄１６０は、マークに付属して文字情報を書き込む欄であり、例えば、ガントチャート欄７５に表示されたマークをクリックするなどすると画面データがサーバ３から送信されてきてポップアップ表示される。
マーク設定欄１６１は、マークの表示属性を設定するための欄である。マーク設定欄１６１は、色見本エリア１６２と形状見本エリア１６３を備えている。色見本エリア１６２で何れかの色をクリックして色を選択することができ、形状見本エリア１６３で形状に対応して表示されているラジオボタンをクリックすることにより形状を選択することができる。
書き込みボタン１６４をクリックすると、以上の設定項目がサーバ３に送信され、ガントチャート欄７５が更新される。
また、マーク入力画面１５５は、カレンダ１６５と画面制御ボタン１６６を備えている。
【００５８】
図１３は、シェアスケジュール入力画面１７０の一例を示した図である。シェアスケジュールとは、例えば、臨時出勤日といったように、各仕事内容に共通なスケジュールであり、ガントチャート欄７５でいえば、縦方向のスケジュールである。本実施の形態では、全ての仕事内容に対して共通であるとしたが、全てのうちのいくつかに共通である場合も設定できるように構成することもできる。
ガントチャート欄７５（図６）には、図示しなかったが、日付と仕事内容で構成される升目のうち、シェアスケジュールが設定されている部分の升目は縦方向に１列に所定の色で着色されるようになっている。
シェアスケジュール入力画面１７０は、ガントチャート欄７５でシェアスケジュールを設定する日をダブルクリックするなどして指定して立ち上げることができる。
【００５９】
開始日入力欄１７１は、開始日を入力する欄であり、入力要領はスケジュールフロー入力画面１１５の開始日入力欄１１７と同様である。
終了日入力欄１７２は、終了日を入力する欄であり、入力要領は終了日入力欄１１８と同様である。
情報入力欄１７４は、シェアスケジュールに関連する文字情報を入力する欄であり、例えば、「臨時出勤日」などと入力する。ここで入力した情報は、ガントチャート欄７５の着色された升目をクリックすると画面データがサーバ３から送信されてきてポップアップ表示される。
色選択欄１７５は、色見本エリア１７８と升目見本エリア１７９から構成されている。
色見本エリア１７８では色を選択することができ、選択した色で着色された升目を升目見本エリア１７９で確認することができる。
書き込みボタン１８０をクリックすると上記で設定した項目がサーバ３に送信され、ガントチャート欄７５が更新される。
また、シェアスケジュール入力画面１７０は、カレンダ１８１と画面制御ボタン１８２を備えている。
【００６０】
図１４は、進捗折れ線グラフ画面１８４の一例を示した図である。進捗折れ線グラフ画面１８４は、例えば、ガントチャート欄７５（図６）で矢線８８をクリックすると矢線８８に対応したものがポップアップ表示される。
折れ線グラフ１８５は、縦軸（１の軸）を仕事の達成率とし、横軸（他の軸）を日数として仕事の達成率の推移を記録した折れ線グラフである。
折れ線グラフ１８５は、予定通りに仕事をした場合の仕事の進捗を表す基準線を点線１８７で表示しており、実際の仕事の進捗が実線１８８、１８９、１９０、…で表示している。
仕事の進捗が遅れると、実線の傾きが基準線より小さくなり、実線が基準線の下側になり、仕事が予定より進むと実線の傾きが基準線より大きくなり、実線が基準線の上側になる。
【００６１】
折れ線グラフ１８５の実線は、ガントチャート入力画面１３５（図１１）で、終了日入力欄１４１が再度入力されて矢線８８が伸び縮みすると、それに応じて引かれ、日単位で更新される。即ち、仕事を進めている段階で予定が延び、ガントチャートでの終了日を延ばすと、その程度に応じて傾きが小さい実線が引かれ、仕事が進みガントチャートでの終了日が繰り上がった場合は、前回引いた実線の端点から繰り上がった程度に応じた傾きで実線が引かれる。
【００６２】
これは、サーバ３が、データベース部１２にガントチャートの変更履歴を記憶しておき、変更日時と予定の期間の変化量を用いて進捗折れ線グラフ画面１８４を表示するための画面データを生成するものである。
より詳細には、メンバがガントチャート欄７５を更新した場合に、その履歴（特に、編集情報を取得した日時とこの編集情報により変化した仕事期間の変化量）を保存しておき、編集情報を受信した日に達成している予定の仕事量に対するこの日の達成量を計算するものである。実際の仕事の達成量を仕事期間が変更されるたびに計算して、その編集情報を取得した日時でプロットすると、達成率の推移が折れ線グラフで得られる。そのグラフ表示するためのグラフ画面データを作成して端末５に送信すると、端末５で進捗状況の推移を表すグラフが表示される。
このように、サーバ３でＣＰＵ６にグループワーク支援プロジェクトを実行させることによりグラフ作成手段を構成することができる。
【００６３】
図１４では、実線１８８で表したように当初は予定より遅れていたが、その後実線１８９で表したように予定よりも仕事が進み、その後実線１９０で表したように再度予定より仕事が遅れてしまったことを表している。
このように、折れ線グラフ１８５で進捗状況を表示することにより直感的に進捗状況を把握することができる。
理由欄１９２は、折れ線グラフ１８５の実線ごとに入力できるようになっており、仕事が遅れた場合は、その理由を入力し、仕事が進んだ場合はその理由を入力する。理由を入力するときは、折れ線グラフ１８５の対応する実線をクリックして選択する。また、折れ線グラフ１８５の実線をクリックすると、その実線に対して既に入力されている理由が理由欄１８２に表示される。
【００６４】
書き込みボタン１９３をクリックすると、理由欄１９２で入力した情報がサーバ３に送信され、進捗折れ線グラフ画面１８４が更新される。
サーバ３では、メンバが書き込んだ理由がデータベース部１２で記憶され、他のメンバも参照することができる。
このように、サーバ３でＣＰＵ６にグループワーク支援プログラムを実行することにより、実際の達成率が、前記予定している達成率と一致しない場合に理由を書き込む理由書き込み手段を構成することができる。
【００６５】
従来、このような進捗管理は、担当者が％などを入力していたので、入力に手間がかかり、また、入力値が適当になる場合があった。また、一般にグラフ化には棒グラフが用いられており視覚的にわかりにくかった。
本実施の形態では、スケジュールの修正結果を直接データとして進捗管理に反映させることができる。また、グラフを折れ線グラフにすることにより、実際の進捗状況が基準線に対して上下方向に表され、視覚的にわかり易くなった。
なお、仕事の遅れがある程度大きくなるとアラームを発するように構成することもできる。
【００６６】
図１５は、パーソナルアシスタント画面２００の一例を示した図である。
パーソナルアシスタント画面２００は、ランチャ４０（図５）でパーソナルアシスタント４２をクリックすると画面データがサーバ３から送信されてきて端末５でポップアップ表示される。
パーソナルアシスタント画面２００は、メンバ個人の予定管理を行う画面であり、所謂ＴＯ−ＤＯリストである。
メンバがパーソナルアシスタント４２をクリックすると自分専用のパーソナルアシスタント画面２００がポップアップ表示される。これは、ログイン時に入力したユーザＩＤからサーバ３がメンバを認識し、そのメンバ用のパーソナルアシスタント画面２００を表示する画面データを送信するためである。
パーソナルアシスタント画面２００は、メンバが自由に個人で使用することができ、他のメンバからは参照できないようになっている。
【００６７】
作業リスト欄２０２は、「優先度」、「作業内容」、「日付」の各項目から構成されており、スクロールバー２０４でスクロールすることができる。
「優先度」には、例えば、優先度が高い順にＡ、Ｂ、Ｃなどの文字が表示される。「作業内容」には、作業内容の名称が表示される。「日付」は、作業終了予定日が表示される。終了した作業に関しては横棒２０５が引かれる。
新規ボタン２０３は、作業リスト欄２０２に新たに作業を入力したり、既に入力したものを編集する際にクリックするボタンである。
メモ欄２０６は、メンバが自由に文字情報を入力することができる所謂メモ帳である。保存ボタン２０７をクリックすることにより入力内容をサーバ３に送信し記憶させることができる。
また、画面制御ボタン２０８を用いてパーソナルアシスタント画面２００の大きさを調節することができる。
【００６８】
図１６は、作業リスト入力画面２１０の一例を示した図である。作業リスト入力画面２１０は、パーソナルアシスタント画面２００（図１５）で新規ボタン２０３をクリックすると、画面データがサーバ３から送信されてきて端末５でポップアップ表示される。
作業内容入力欄２１２は、図１５の作業リスト欄２０２の「作業内容」に表示する文字自情報を入力する欄である。また、作業内容入力欄２１２の右側には、既にパーソナルアシスタント画面２００に入力してある項目を呼び出すためのドロップダウンメニューを表示させるためのボタンが表示されている。
終了日時入力欄２１３は、作業リスト欄２０２の「日付」に表示する日付を入力する欄である。年、月、日がそれぞれドロップダウンメニューにより入力できるようになっている。
【００６９】
ステータス欄２１４は、作業内容のステータスを入力する欄であり、ドロップダウンメニューで「未終了」と「終了」などを選択できるようになっている。「終了」を選択した場合は、パーソナルアシスタント画面２００で当該作業内容に対して横棒２０５が引かれる。
優先度入力欄２１５は、作業リスト欄２０２の「優先度」に表示する文字を選択する欄であり、ドロップダウンメニューからＡ、Ｂ、Ｃの何れかの文字を選択できるようになっている。
送信ボタン２１６をクリックすると上記で入力した情報がサーバ３に送信され、パーソナルアシスタント画面２００が更新される。
【００７０】
図１７は、メンバリスト画面２２０の一例を示した図である。メンバリスト画面２２０は、チームのメンバを一覧表示する画面であり、ランチャ４０でメンバリスト４３をクリックすると画面データがサーバ３から送信されてきて端末５でポップアップ表示される。メンバリスト画面２２０は各メンバごとのメンバ紹介欄２２５から構成されている。
メンバ紹介欄２２５（ユーザ表示欄）には、立場欄２２１、写真欄２２２、氏名欄２２３から構成されている。立場欄２２１は、後にミーティング画面でディスカッションする際に、議題に対する自分の立場（賛成、反対）を色別（賛成は青色、反対は赤色など）にて表示する。後述のミーティング画面でディスカッションする際に、メンバリスト画面２２０を表示しておくと、誰が賛成で誰が反対かといった各メンバの立場を一目で把握することができる。
立場欄２２１に表示する色は、後述のミーティング画面から入力することができる。
【００７１】
写真欄２２は、メンバの顔写真を表示する欄であり、非表示とすることもできる。
氏名欄２２３は、メンバの氏名の他、所属部署、所属会社など、そのメンバに関する情報が表示される。
画面制御ボタン２２４は、メンバリスト画面２２０の大きさを調節したり、あるいはメンバリスト画面２２０を閉じたりすることができる。
また、図では、メンバ紹介欄２２５を縦方向に並べて表示しているが、横方向に並べることもできる。
また、任意のメンバ紹介欄２２５をクリックすると、そのメンバの更に詳細な情報を表示することもできる。
【００７２】
図１８は、メンバリスト入力画面２３０の一例を示した図である。
メンバリスト入力画面２３０は、例えば、登録済みのメンバに関しては、メンバリスト画面２２０の自分のメンバ紹介欄２２５をダブルクリックすると自己に関するメンバリスト入力画面２３０がポップアップ表示され、未登録のメンバに関しては、メンバリスト画面２２０の任意の場所をダブルクリックすると未入力のメンバリスト入力画面２３０がポップアップ表示されるようになっている。
【００７３】
基本情報入力エリア２３１（ユーザ情報入力欄）は、「姓」、「名」、「愛称」などの項目があり、それぞれメンバの姓、名、愛称を入力する。「アップデート写真」の項目は、図１７の写真欄２２２にメンバの顔写真を表示するための画像ファイル名を指定する欄である。
項目「ファイル」は、項目「アップデート写真」にファイル名を入力するのを支援するものであり、この項目をクリックすると、端末５の記憶部２９に記憶されているファイルが一覧表示され、この中から顔写真の画像ファイルをクリックすると、そのファイル名が項目「アップデート写真」に入力される。
【００７４】
詳細情報入力エリア２３２は、メンバの詳細な情報を入力するエリアであり、会社名、部署名、電子メールのメールアドレス、携帯電話のメールアドレス、携帯電話の電話番号、内線番号、ファックス番号、その他の情報を入力する様になっている。
付属情報入力エリア２３３は、メンバの専門、興味、その他の情報を入力する欄である。
情報公開制限エリア２３４では、以上で入力した情報の公開制限をチェックボックスでチェックを行うことにより選択することができる。公開を制限する場合は、例えば、基本情報入力エリアのみメンバリスト画面２２０から参照できるようにする。
書き込みボタン２３５をクリックすると、上記で入力した情報が端末５からサーバ３に送信される。
サーバ３のデータベース部１２（図２）は、チームごとにメンバの情報を記憶したメンバデータベースを備えており、端末５から受信したこれら情報に従ってメンバデータベースを更新する（更新手段）。
また、メンバリスト入力画面２３０は、画面制御ボタン２３６で制御することができる。
【００７５】
本実施の形態では、各メンバは、メンバデータベースに記憶されている情報のうち、チーム内のメンバの携帯電話の電話番号と携帯電話のメールアドレスに、携帯電話からインターネット２を経由してアクセスできるようになっている。そして、所望のメンバの電話番号やメールアドレスを選択することにより、当該所望のメンバに対して電話をかけたり電子メールを送信したりすることができる。
一般に携帯電話の電話番号やメールアドレスは変更が頻繁に行われ、通常は、変更が行われるたびに、個々に前の情報を消して新しい情報を入力するという作業が行われており、ユーザにとって負担の大きい作業であった。
本実施の形態では、メンバは、自分の携帯電話の電話番号や電子メールを変更した場合にメンバデータベースを更新するだけでよい。
【００７６】
そのためメンバには、次のような利点がある。
（１）携帯電話を無くしても、一からデータ入力を行う必要がない。
（２）携帯電話を落としても、個人情報が漏れない。
（３）メンバが個々にデータの更新を行うので、他のメンバは、特に何もせずに最新の情報を入手することができる。
（４）携帯電話からデータを入力するよりも端末５で入力する方が入力が容易である。
【００７７】
図１９は、ホワイトボード画面２４０の一例を示した図である。ホワイトボード画面２４０は、ランチャ４０（図５）でホワイトボード４４をクリックすると画面データがサーバ３から送信されてきて端末５でポップアップ表示される。
ホワイトボード画面２４０は、文字情報が書き込める他、書き込んだ文字情報を編集することができる。
ホワイトボード画面２４０は、後のミーティング画面でディスカッションするのに伴い、議事進行に関する項目などの文字情報を書き込むのに使用する。
【００７８】
ボードエリア２４２は、書き込まれた文字情報を表示するエリアであり、タイトル欄２４６とメッセージエリア２４７から構成されている。書き込まれた項目には、返信ボタン２５０と編集ボタン２５１を備えており、編集ボタン２５１をクリックするとメッセージエリア２４７の内容を編集することができ、返信ボタン２５０をクリックすると編集後のメッセージエリア２４７の内容をサーバ３に送信してメッセージエリア２４７を更新することができる。これは、サーバ３が端末５から編集後のメッセージエリア２４７の内容を受信して画面データを更新し、更新後の画面データを各端末５に送信することにより行われる。
メッセージエリア２４７が更新されると、他のメンバの端末５に表示されているメッセージエリア２４７も更新される。
【００７９】
タイトル欄２４３は、新たにボードエリア２４２に項目を書き込む場合のタイトルを入力する欄である。
メッセージ入力エリア２４４は、新たにボードエリア２４２に項目を書き込む場合のメッセージを書き込む欄である。
書き込みボタン２５３をクリックするとタイトル欄２４３、メッセージ入力エリア２４５に入力した情報がサーバ３に送信され、ボードエリア２４２が更新される。そして、更新後のホワイトボード画面２４０が全メンバの端末５に表示される。
【００８０】
このように、ホワイトボード画面２４０において、ボードエリア２４２は、文字情報を表示する掲示欄を構成し、メッセージエリア２４７やメッセージ入力エリア２４４は、掲示欄の表示を編集する編集情報を入力する編集欄を構成している。
また、サーバ３において、ＣＰＵ６でグループワーク支援プログラムを実行することにより、この編集情報を受信する受信手段と、受信した編集情報で画面データを更新する更新手段と、更新後の画面データを送信する送信手段を構成することができる。
【００８１】
図２０は、ミーティング画面２６０の一例を示した図である。ミーティングは、所謂テキストチャットと同様の方法でメンバ間でディスカッションするための画面である。
議題欄２６２には、話し合いの対象となっている議題が表示される。また、この欄に議題を書き込むこともできる。議題を更新する場合は、議題欄２６２に議題を書き込んで送信ボタン２６３をクリックする。すると、議題欄２６２に書き込んだ内容がサーバ３に送信されて議題欄２６２が更新され、他のメンバの端末５に表示されている議題欄２６２も更新される。
【００８２】
ディスカッションエリア２６４は、メンバからの発言内容がリアルタイムで表示される。
ディスカッションエリア２６４は、色情報２６５、名前２６６、発言内容２６７の各項目が発言したメンバごとに表示される。
色情報２６５は、５色の色を用いて着色された印であって、発言内容を分類して把握し易くするための分類情報であり、例えば、白は司会者のコメント、青は賛成、赤は反対、黄色は中立、緑は自由意見、灰色は事務意見などと、色ごとに分類の意味が定められている。
【００８３】
従来、テキストチャットなどを用いて議論すると、議論が発散し易いだとか、発言者の顔色がわからない、などの不都合があったが、ミーティング画面２６０では、色情報２６５を用いてこれらの点を補っている。
また、本実施の形態では、分類情報として色を用いたが、これに限定するものではなく、記号や文字などの他の表示情報を用いて構成することもできる。
名前２６６は、発言したメンバの名前である。発言内容２６７は、メンバが意見を文字情報として入力したものを表示したものである。
スクロールバー２６９でディスカッションエリア２６４をスクロールすることができる。
【００８４】
発言入力欄２７０は、発言内容を入力する欄である。色選択エリア２７１は、発言入力欄２７０に入力した発言に付属させる色情報を選択する欄である。色をクリックしてもよいし、色に付属している番号で選択してもよい。
送信ボタン２７２をクリックすると、発言入力欄２７０と色選択エリア２７１に入力した情報がサーバ３に送信される。サーバ３は、受信した発言内容と色情報をディスカッションエリア２６４に追記するように画面データを更新し（更新手段）、更新後の画面データを端末５に送信する。その結果、ユーザが行った発言内容が色情報と共にディスカッションエリア２６４に追記される。ユーザの名前に関しては、サーバ３はユーザＩＤから得ることができる。
このように、各メンバから発言があるたびにこれらをディスカッションエリア２６４に追記していくことにより、議題に対して話し合いを行うことができる。
立場選択欄２７３は、ドロップダウンメニューにより賛成、反対など、議題に対する自分の立場を選択することができる。選択した立場情報も送信ボタン２７２をクリックしてサーバ３に送信する。
立場選択欄２７３で選択した立場は、メンバリスト画面２２０（図１７）の立場欄２２１に色情報として表示される。
また、画面制御ボタン２７４で、画面の大きさの調節や消去を行うことができる。
【００８５】
ディスカッションエリア２６４に表示された内容は、サーバ３でログデータとして保存され、後に各人の発言を検証することができる。
そのため、ミーティング画面２６０は、ミーティングの他に、例えば、採用試験でグループディスカッションを行い、参加者の発言内容から参加者の適正を判断し、入社を認めるか否かを判断するといった用い方もできる。
この場合、ログデータを複数の者が検証することにより、参加者の適正を公正に判断することができる。
【００８６】
このように、ディスカッションエリア２６４は発言表示欄を構成し、色選択エリア２７１は分類情報選択欄を構成している。
また、サーバ３では、ＣＰＵ６でグループワーク支援プログラムを実行させることにより、ミーティング画面２６０を他のメンバが使用している複数の端末に送信する送信手段と、派決減表示欄に入力された文字情報や、分類情報選択欄で選択された分類情報を受信する受信手段と、受信した文字情報と分類情報を対応付けて発言表示欄に追記するように画面データを生成して送信する更新手段を構成することができる。
【００８７】
図２１は、ファイル管理画面２８０の一例を示した図である。ファイル管理画面２８０は、ナレッジマネジメントを行うための画面であり、どのファイルが誰のコンピュータに記憶されているかを一覧表示するものである。
ファイル分類エリア２８２には、５色の色で色分けしたファイルのアイコンが表示されている。各色には、例えば、青は報告書、赤は資料など、各色ごとに分類が決めてあり、ファイル分類エリア２８２で選択することができる。
ファイル一覧エリア２８３は、各メンバから報告されたファイルの一覧が表示される。ファイル一覧エリア２８３は、ファイル分類エリア２８２でアイコンを選択するとそのアイコンが表す分類に属するものが表示される。ファイル一覧エリア２８３は、スクロールバー２８４でスクロールすることができる。
【００８８】
アップロードファイル入力欄２８５は、メンバがファイル一覧エリア２８３に登録するファイル名を入力する欄である。ファイルボタン２８６をクリックすると、このメンバの端末５の記憶部２９（図３）に記憶されているファイルの一覧が表示され、これらの中から所望のものをクリックしてアップロードファイル入力欄２８５に入力することもできる。このファイルの分類は、ファイル分類エリア２８２のアイコンをクリックすることにより選択することができる。
コメント入力欄２８７は、ファイル一覧エリア２８３に表示するコメントを入力する欄である。
送信ボタン２８８をクリックすると、アップロードファイル入力欄２８５、コメント入力欄２８７に入力した情報がサーバ３に送信される。サーバ３は、これを用いてファイル一覧エリア２８３の表示内容を更新する。
また、画面制御ボタン２８９で、画面の大きさの調節や消去を行うことができる。
【００８９】
図２２は、グループメール画面２９０の一例を示した図である。グループメール画面２９０は、ランチャ４０（図５）でグループメール４７をクリックすると画面データがサーバ３から送信されてきてポップアップ表示される。
グループメール画面２９０は、チームのメンバに電子メールを送信するための画面である。
送信先欄２９２は、送信先のメンバを指定する欄であり、メンバ全員を送信先とすることもできるし、単数又は複数のメンバを送信先として指定することもできる。
表題欄２９３は、電子メールの表題を入力する画面である。
本文欄２９４は、電子メールの本文を入力する欄であり、スクロールバー２９５でスクロールすることができる。
送信ボタン２９６をクリックすると、上記で入力した情報がサーバ３に送信される。サーバ３は、受信した情報を用いて電子メールを作成し、指定された電子メールアカウントに当てて電子メールを送信する。
また、画面制御ボタン２９７で、画面の大きさの調節や消去を行うことができる。
【００９０】
図２３は、プロジェクタ画面３００の一例を示した図である。
一般に、ミーティングを行う場合、プロジェクタでスクリーンにグラフなどを投影する。これと同様に、プロジェクタ画面３００は、ミーティング画面２６０でディスカッションを行う際に使用する画像を表示する。
画像表示エリア３０１には、端末５からアップロードされた画像データを用いて画像が表示される。各画像にはタブ３０２が付属しており、画像が複数ある場合は、タブ３０２を選択することにより、画像を選択するとことができる。
追加資料入力欄３０３は、メンバが自己の有する画像データをサーバ３にアップロードする際に、そのファイル名を入力する欄である。ファイルボタン３０４をクリックすると記憶部２９（図３）に記憶されているファイルの一覧が表示され、この中から所望のものをクリックして追加資料入力欄３０３にファイル名を入力することができる。
送信ボタン３０５をクリックすると、追加資料入力欄３０３で指定されたファイルがサーバ３にアップロードされ、画像表示エリア３０１に追加される。
これは、サーバ３が端末５から受信した画像データを用いて画面データを更新し（更新手段）、更新後の画像データを各端末５に送信することにより行われる。
また、画面制御ボタン３０６で、画面の大きさの調節や消去を行うことができる。
【００９１】
このように、画像表示エリア３０１は、画像表示欄を構成し、追加資料入力欄３０３は、画像入力欄を構成している。
また、サーバ３でＣＰＵ６にグループワーク支援プログラムを実行させることにより、画像入力欄で指定された画像データを受信する受信手段と、受信した画像データを画像表示欄に表示するように画面データを更新して端末５に送信する更新手段を構成することができる。
【００９２】
図２４は、付箋画面３１０の一例を示した図である。付箋画面は、ランチャ４０（図５）のツール５０をクリックして表示させることができる。なお、ツール５０は、複数のツールを提供するが、この中から付箋を選択すると付箋画面３１０を利用することができる。
図２４（ａ）に示したように、付箋画面３１０は、項目を記した矩形の付箋アイコン（以下、付箋）を、２次元平面上（項目情報表示欄）に配置して表す。付箋は、項目を２次元平面上の位置と共に表す項目情報である。
付箋３１１〜３１５は、マウス２５で移動先位置を指定して、付箋画面３１０上を移動することができる。メンバの誰かが付箋３１１〜３１５を移動すると、他のメンバの端末５でもリアルタイムで付箋３１１〜３１５が移動する。
この場合、サーバ３は、端末５から移動対象となっている付箋を特定する情報（項目特定情報）と、移動先の２次元位置情報を受信し、この位置に付箋が移動したように画面データを更新し、更新後の画面データを各端末５に送信する。
【００９３】
図２４（ｂ）は、付箋３１１〜３１５を色分けして分類し、整列したところを示している。
例えば、付箋３１１は、組織に関わる問題であり青色で示し、付箋３１２〜３１４は、仕事のやり方に分類されて黄色で示し、付箋３１５は、マネージメントに関する分類であり赤色で示される。
付箋の色は、例えば、付箋をクリックすると色を選択するポップアップメニューが表示され、このメニューから色を選択するようにできる（項目分類情報入力手段）。
この場合、サーバ３は、端末５から付箋を特定する情報（項目特定情報）と、色情報（項目分類情報）を受信し、この特定された付箋がこの色情報で着色されるように画目データを更新し、更新後の画面データを各端末５に送信する。
このように、付箋を着色することにより付箋とこの付箋の分類を対応付けて表示することができる。
【００９４】
図２４（ｃ）は、付箋３１１〜３１５の分類を明記するための分類付箋３１６、３１７、３１８を追加したところを示している。分類付箋３１６、３１７、３１８も分類ごとの色に着色されている。
なお、付箋を新規に追加する場合は、付箋画面３１０の余白の部分をダブルクリックするとダブルクリックした位置に付箋が生成され、これに項目を書き込む（項目入力手段）。
この場合、サーバ３は、まず、ダブルクリックした位置の２次元座標と書き込まれた項目を端末５から受信する。そして、その位置にその項目が書かれた付箋を表示するように画面データを更新し（更新手段）、更新後の画面データを各端末５に送信する。
【００９５】
図２５は、ミーティング推移画面３２０の一例を示した図である。ミーティング推移画面３２０は、ランチャ４０（図５）でツール５０を選択し、更にミーティング推移を選択すると表示することができる。
ミーティング推移画面３２０は、横軸に時間をとり、ディスカッションエリア２６４（図２０）に連動して更新される。より詳細には、ディスカッションエリア２６４で発言が行われると、その発言の色情報３２１を時間軸に沿って追加していく。各色情報は棒線で連結されており、色情報３２１を見るとミーティングの流れを直感的に把握することができる。
また、画面制御ボタン３２２で、画面の大きさの調節や消去を行うことができる。
【００９６】
図２６は、各種画面を組み合わせて表示したグループワーク画面の一例を示した図である。
図では、プロジェクタ画面３００、ホワイトボード画面２４０、付箋画面３１０、ミーティング画面２６０、メンバリスト画面２２０を組み合わせて表示してある。
以上に説明してきた各画面は、ディスプレイ２４上での表示位置や大きさを変えることができるため、メンバ各人が好みに応じてレイアウトを決めることができる。また、グループワーク画面では、表示する画面、表示しない画面もメンバが選択することができる。
図のように画面を組み合わせることにより、例えば、プロジェクタ画面３００の画像データを参照しながらミーティング画面２６０でディスカッションを行い、決定事項をホワイトボード画面２４０に記入していくことができる。また、必要に応じて付箋画面３１０に付箋を張り、議論を整理する。議題に対する各人の立場はメンバリスト画面２２０の立場欄の色で直感的に知ることができる。
これら画面に、更にミーティング推移画面３２０やその他の画面を追加してディスカッションの推移を補助することもできる。
【００９７】
図２７は、各端末５で画面を更新する仕組みを説明するための図である。図２７（ａ）で示したように、５人のメンバが端末５ａ〜５ｅを用いてサーバ３でディスカッションを行っているものとする。
各端末５ａ〜５ｅは、所定の時間間隔でサーバ３に画面データの送信を要求して、最新の画面データを送信してもらうようになっている。
今、端末５ｂのメンバが、ミーティング画面２６０で発言したり、あるいは、ホワイトボード画面２４０に新たな事項を書き込むなどしてサーバ３にこれらの情報を送信したとする。
すると、サーバ３は、この情報を受信して画面を更新し、図５（ｂ）に示したように、端末５ａ〜５ｅが画面データの送信を要求して来たときに、更新後の画面データを端末５ａ〜５ｅに送信する。そして、端末５ａ〜５ｅで画面が更新される。
【００９８】
以上のようにして、メンバの何れかが新たな情報をサーバ３に送信すると、それに基づき、全ての端末５ａ〜５ｅの画面が更新される。
本実施の形態では、一例として、各端末５ａ〜５ｅが最新の画面データをサーバ３に要求し、これに応じてサーバ３が各端末５ａ〜５ｅに画面データを送信するように構成したが、これに限定せず、予め各端末５ａ〜５ｅのＩＰアドレスを記憶する手段をサーバ３に設け、このＩＰアドレスに宛ててサーバ３側から更新後の画面データを送信するように構成することもできる。
なお、プロジェクト管理画面５５（図６）に関しては、各端末５ａ〜５ｅごとに個別に表示され、メンバからサーバ３へ画面データの更新を要求しないと、更新後の画面データが送信されないようになっている。
【００９９】
図２８は、ミーティング画面２６０でメンバの発言を更新していく手順を説明するためのフローチャートである。
以下の処理は、サーバ３側ではＣＰＵ６がグループワーク支援プログラムに従って行い、端末５ではＣＰＵ２１がブラウザプログラムに従って行うものである。
まず、端末５がミーティング画面２６０の画面データをサーバ３に要求し、これに応じてサーバ３が端末５に画面データを送信する（ステップ５０）。
端末５は、この画面データを受信してディスプレイ２４にミーティング画面２６０を表示する（ステップ５）。
【０１００】
メンバは、ディスカッションエリア２６４に表示されているディスカッションの内容を見ながら発言入力欄２７０に発言内容を文字情報として入力する（ステップ１０）。
次に、メンバは、入力した発言がどの分類に属するかを判断し、色選択エリア２７１で色を選択する（ステップ１５）。
次に、メンバは送信ボタン２７２をクリックして、発言内容と色情報をサーバ３に送信する。また、この際にメンバを特定する情報も送信する（ステップ２０）。
【０１０１】
サーバ３は、これらの情報を受信し、これを用いてミーティング画面２６０を更新する（ステップ５５）。より詳細には、ディスカッションエリア２６４で発言の末端に、受信した色情報、メンバの名前、発言内容を追記する。
次に、サーバ３は、更新後の画面データを全てのメンバの端末５に送信する（ステップ６０）。これは、各メンバの端末５から送られてきた画面データの送信要求に応じて行うものである。
端末５は、更新後の画面データを受信し、ディスプレイ２４に更新後のデータを表示する（ステップ２５）。
【０１０２】
以上、グループワーク支援システム１について説明したが、このシステムは、例えば、次のような場面でソリューションを提供することができる。
（１）サイバー上でのグループワークによる課題解決、企画提案を目的とした研修ソリューション。
（２）サイバー上でのグループワークによる課題解決を通じて、個人を判断することを目的とした採用ソリューション。
（３）人的ネットワークの構築、ナレッジの共有を目的とした交流会・分科会ソリューション。
（４）職場を越えた課題解決を実戦することを目的としたクロスファンクショナルチーム運営のソリューション。
（５）産休者、ＳＯＨＯ（Ｓｍａｌｌ  Ｏｆｆｉｃｅ  Ｈｏｍｅ  Ｏｆｆｉｃｅ）、営業担当など在宅ワークを実現する次世代のワークスタイルソリューション。
（６）社外の人材を広意義でのビジネスグループとして考えた際の企画推進をサポートするグループウェアソリューション。
【０１０３】
以上に説明した本実施の形態によれば次のような効果を得ることができる。
（１）物理的・時間的に離れたメンバがインターネット２上に仮想的なワークプレイスを持ち、コラボレーションを実行していくことができる。
（２）メンバが集合する必要がないので、物理的・時間的・金銭的に有利である。メンバが海外や地方に散在していてもよい。
（３）人、仕事、時間を２次元平面上に表示できるため、スケジュール管理が容易になる。
（４）仕事の進捗状況を基準線付き折れ線グラフで表示できるため、仕事の進捗具合を直感的に認識することができる。
【０１０４】
（５）ミーティング画面２６０での発言内容に分類情報を色情報として付加することができるため、各メンバの姿勢を容易に読み取ることができる。
（６）メンバリスト画面２２０で、議題に対する各メンバの基本的な立場が色情報にて表示されるので各人の立場の違いが容易にわかる。
（７）ミーティング画面２６０にホワイトボード画面２４０やプロジェクタ画面３００などを付加することにより、インターネット２上でより集合ミーティングに近い環境を提供することができる。
（８）ディスカッションなど、サーバ３に蓄積されたログデータを分析することにより、各メンバの貢献度を適切に評価することができる。
（９）近年、端末とサーバが１対１で通信する知識獲得型のＥラーニングを用いた研修が行われているが、グループワーク支援システム１によりグループウェアを利用したインターネット研修システムを提供することができる。
（１０）研修、採用、プロジェクトの中で実施される既存のグループワークに関しては、これまで個人の活動・思考パターンを確認することができなかったが、グループワーク支援システム１を用いることにより、プロジェクトの効率を高めると共にメンバ個人の特性を理解することもできる。
【０１０５】
以上、本発明の１実施形態について説明したが、本発明は説明した実施形態に限定されるものではなく、各請求項に記載した範囲において各種の変形を行うことが可能である。
例えば、本実施の形態では、各メンバが独自にプロジェクト管理画面５５を編集することができるようにしたが、これに限定せず、例えば、プロジェクトのリーダなど、特別な権限を有する人だけがプロジェクト管理画面５５を編集することができ、他のメンバは、プロジェクト管理画面５５の閲覧だけできるように構成することもできる。
また、ホワイトボード画面２４０やその他の画面も操作できるメンバを限定するように構成することもできる。
【０１０６】
また、本実施の形態では、グループの仕事を特定する仕事データと、前記仕事を担当する担当者を特定する人員データと、前記仕事の期間を特定する期間データとを各仕事ごとに管理するスケジュール管理データ記憶手段と、前記仕事に対応する担当者のうちの特定の人員を表示するか、あるいは全員を表示するかを選択する選択情報を取得する選択情報取得手段と、前記仕事を表示する仕事表示欄と、前記表示した仕事に対応する前記担当者を前記取得した選択情報に応じて表示する人員表示欄と、前記表示した仕事に対応する前記期間を表示する期間表示欄と、を備えたスケジュール画面を表示するためのスケジュール画面データを前記スケジュール管理データ記憶手段を用いて出力するスケジュール画面データ出力手段と、を具備したことを特徴とするグループワーク支援装置を提供することもできる（第１の構成）。
第１の構成で、前記スケジュール管理データ記憶手段は、前記仕事データ間の階層情報を記憶しており、前記表示する仕事の階層を特定する階層特定情報を取得する階層特定情報取得手段を具備し、前記スケジュール画面データ出力手段は、前記仕事と、前記担当者と、前記期間とを、前記取得した階層特定情報で特定される階層からなるツリー構造として表示するためのスケジュール画面データを出力するように構成することもできる。
第１の構成は、前記スケジュール画面に表示する仕事、人員、期間のうちの少なくとも１つを編集する編集情報を取得する編集情報取得手段と、前記取得した編集情報を用いて前記スケジュール管理データを更新するスケジュール管理データ更新手段と、を具備し、前記スケジュール画面データ出力手段は、前記スケジュール管理データ更新手段で更新したスケジュール管理データを用いて前記スケジュール画面データを出力するように構成することもできる。
このとき、１の軸で前記仕事の達成率を表し、他の軸で時間を表したグラフ上に折れ線グラフで表示するためのグラフ画面データを作成するグラフ作成手段を具備し、前記グラフ作成手段は、前記スケジュール管理データ更新手段による前記仕事の期間の変化と、当該編集情報を取得した日時から、当該日時において予定している達成率に対する実際の達成率を取得し、前記折れ線グラフ上に、前記予定していた達成率と、前記取得した実際の達成率を表示するように前記グラフ画面データを作成するように構成することもできる。
更に、ここで、前記実際の達成率が、前記予定している達成率と一致しない場合に理由を書き込む理由書き込み手段を具備するように構成することもできる。
【０１０７】
【発明の効果】
本発明によれば、ネットワーク上で効率よくグループワークを進めることができる。
【図面の簡単な説明】
【図１】本実施の形態のグループワーク支援システムのネットワーク構成を示した図である。
【図２】サーバのハードウェア的な構成の一例を示したブロック図である。
【図３】端末のハードウェア的な構成の一例を示したブロック図である。
【図４】ログイン画面の一例を示した図である。
【図５】ランチャの一例を示した図である。
【図６】プロジェクト管理画面の一例を示した図である。
【図７】ガントチャート欄の表示形態の変化例を示した図である。
【図８】お知らせ入力画面の一例を示した図である。
【図９】リンクス入力画面の一例を示した図である。
【図１０】スケジュールフロー入力画面の一例を示した図である。
【図１１】ガントチャート入力画面の一例を示した図である。
【図１２】マーク入力画面の一例を示した図である。
【図１３】シェアワーク入力画面の一例を示した図である。
【図１４】進捗折れ線グラフ画面の一例を示した図である。
【図１５】パーソナルアシスタント画面の一例を示した図である。
【図１６】作業リスト入力画面の一例を示した図である。
【図１７】メンバリスト画面の一例を示した図である。
【図１８】メンバリスト入力画面の一例を示した図である。
【図１９】ホワイトボード画面の一例を示した図である。
【図２０】ミーティング画面の一例を示した図である。
【図２１】ファイル管理画面の一例を示した図である。
【図２２】グループメール画面の一例を示した図である。
【図２３】プロジェクタ画面の一例を示した図である。
【図２４】付箋画面の一例を示した図である。
【図２５】ミーティング推移画面の一例を示した図である。
【図２６】各種画面を組み合わせて表示した場合の一例を示した図である。
【図２７】各端末で画面を更新する仕組みを説明するための図である。
【図２８】ミーティング画面を更新する手順を説明するためのフローチャートである。
【符号の説明】
１  グループワーク支援システム      ２  インターネット
３  サーバ                          ５  端末
６  ＣＰＵ                          ７  ＲＯＭ
８  ＲＡＭ                          ９  通信制御部
１０  記憶部                        １１  プログラム部
１２  データベース部                １３  バスライン
２１  ＣＰＵ                        ２２  ＲＯＭ
２３  ＲＡＭ                        ２４  ディスプレイ
２５  マウス                        ２６  キーボード
２７  通信制御部                    ２８  記憶媒体駆動部
２９  記憶部                        ３０  バスライン
３２  ログイン画面                  ４０  ランチャ
５５  プロジェクト管理画面          ９５  入力画面
１００  リンクス入力画面            １１５  スケジュールフロー入力画面
１３５  ガントチャート入力画面      １５５  マーク入力画面
１７０  シェアスケジュール入力画面  １８４  進捗折れ線グラフ画面
２００  パーソナルアシスタント画面  ２１０  作業リスト入力画面
２２０  メンバリスト画面            ２３０  メンバリスト入力画面
２４０  ホワイトボード画面          ２６０  ミーティング画面
２８０  ファイル管理画面            ２９０  グループメール画面
３００  プロジェクタ画面            ３１０  付箋画面
３２０  ミーティング推移画面
【図１】
2004310272.tif 000003
【図２】
2004310272.tif 000004
【図３】
2004310272.tif 000005
【図４】
2004310272.tif 000006
【図５】
2004310272.tif 000007
【図６】
2004310272.tif 000008
【図７】
2004310272.tif 000009
【図８】
2004310272.tif 000010
【図９】
2004310272.tif 000011
【図１０】
2004310272.tif 000012
【図１１】
2004310272.tif 000013
【図１２】
2004310272.tif 000014
【図１３】
2004310272.tif 000015
【図１４】
2004310272.tif 000016
【図１５】
2004310272.tif 000017
【図１６】
2004310272.tif 000018
【図１７】
2004310272.tif 000019
【図１８】
2004310272.tif 000020
【図１９】
2004310272.tif 000021
【図２０】
2004310272.tif 000022
【図２１】
2004310272.tif 000023
【図２２】
2004310272.tif 000024
【図２３】
2004310272.tif 000025
【図２４】
2004310272.tif 000026
【図２５】
2004310272.tif 000027
【図２６】
2004310272.tif 000028
【図２７】
2004310272.tif 000029
【図２８】
2004310272.tif 000030